(57)【要約】【課題】年輪構造での記録において、アフレコ編集等でのデータ転送レートの低下量を抑える。【解決手段】映像及び音声信号は、再生時間帯が対応した単位再生時間分の映像及び音声信号の組による年輪単位でディスクに記録される。１年輪データは、例えば２秒分の再生時間に対応するデータからなる。アフレコ編集等では、読み出し位置に対し過去のデータが記録されている位置に書き込みを行う必要があり、年輪構造では、１年輪分のデータを読み終わった後にヘッドをシークさせて過去の記録位置にアクセスしてデータを記録し、再びヘッドをシークさせて次のデータを読み出すような動作となる。１年輪データ単位で読み出しと書き込みとの切り換えを行うと、データ転送レートの低下が発生し、アフレコ動作が破綻するおそれがある。アフレコ編集時の読み出しと書き込みとの切り換えを複数年輪単位で行うことで、この問題が回避される。【選択図】  図８
2005004878.tif 000002
【特許請求の範囲】
【請求項１】
再生時間帯が対応した単位再生時間分の映像信号および音声信号の組からなる年輪を単位として映像信号および音声信号をディスク状記録媒体に記録するようにされ、
上記ディスク状記録媒体に記録されている映像信号および／または音声信号を再生すると共に、上記再生に対して時間的に並列的に、上記ディスク状記録媒体に記録されている上記再生された映像信号および／または音声信号に対して新たな映像信号および／または音声信号を上書き記録する動作モードを有し、
上記動作モードの設定に応じて、上記再生と上記上書き記録とを複数年輪単位で切り換えるようにしたことを特徴とする記録装置。
【請求項２】
請求項１に記載の記録装置において、
上記切り換えを行う上記単位を、上記再生される上記映像信号および／または音声信号、ならびに、上記上書き記録される上記映像信号および／または音声信号の転送速度に応じた複数年輪に設定するようにしたことを特徴とする記録装置。
【請求項３】
請求項１に記載の記録装置において、
上記切り換えを行う上記単位を、上記記録および上記再生を行う系の性能に応じた複数年輪に設定するようにしたことを特徴とする記録装置。
【請求項４】
再生時間帯が対応した単位再生時間分の映像信号および音声信号の組からなる年輪を単位として映像信号および音声信号をディスク状記録媒体に記録するようにされ、
上記ディスク状記録媒体に記録されている映像信号および／または音声信号を再生すると共に、上記再生に対して時間的に並列的に、上記ディスク状記録媒体に記録されている上記再生された映像信号および／または音声信号に対して新たな映像信号および／または音声信号を上書き記録する動作モードを有し、
上記動作モードの設定に応じて、上記再生と上記上書き記録とを複数年輪単位で切り換えるようにしたことを特徴とする記録方法。
【請求項５】
再生時間帯が対応した単位再生時間分の映像信号および音声信号の組からなる年輪を単位として映像信号および音声信号をディスク状記録媒体に記録するようにされ、
上記ディスク状記録媒体に記録されている映像信号および／または音声信号を再生すると共に、上記再生に対して時間的に並列的に、上記ディスク状記録媒体に記録されている上記再生された映像信号および／または音声信号に対して新たな映像信号および／または音声信号を上書き記録する動作モードを有し、
上記動作モードの設定に応じて、上記再生と上記上書き記録とを複数年輪単位で切り換えるようにした記録方法をコンピュータ装置に実行させることを特徴とする記録プログラム。
【請求項６】
再生時間帯が対応した単位再生時間分の映像信号および音声信号の組からなる年輪を単位として映像信号および音声信号をディスク状記録媒体に記録するようにされ、
上記ディスク状記録媒体に記録されている映像信号および／または音声信号を再生すると共に、上記再生に対して時間的に並列的に、上記ディスク状記録媒体の未記録領域に対して新たな映像信号および／または音声信号を追加記録する動作モードを有し、
上記動作モードの設定に応じて、上記再生と上記追加記録とを複数年輪単位で切り換えるようにしたことを特徴とする記録装置。
【請求項７】
請求項６に記載の記録装置において、
上記切り換えを行う上記単位を、上記再生される上記映像信号および／または音声信号、ならびに、上記上書き記録される上記映像信号および／または音声信号の転送速度に応じた複数年輪に設定するようにしたことを特徴とする記録装置。
【請求項８】
請求項６に記載の記録装置において、
上記切り換えを行う上記単位を、上記記録および上記再生を行う系の性能に応じた複数年輪に設定するようにしたことを特徴とする記録装置。
【請求項９】
再生時間帯が対応した単位再生時間分の映像信号および音声信号の組からなる年輪を単位として映像信号および音声信号をディスク状記録媒体に記録するようにされ、
上記ディスク状記録媒体に記録されている映像信号および／または音声信号を再生すると共に、上記再生に対して時間的に並列的に、上記ディスク状記録媒体の未記録領域に対して新たな映像信号および／または音声信号を追加記録する動作モードを有し、
上記動作モードの設定に応じて、上記再生と上記追加記録とを複数年輪単位で切り換えるようにしたことを特徴とする記録方法。
【請求項１０】
再生時間帯が対応した単位再生時間分の映像信号および音声信号の組からなる年輪を単位として映像信号および音声信号をディスク状記録媒体に記録するようにされ、
上記ディスク状記録媒体に記録されている映像信号および／または音声信号を再生すると共に、上記再生に対して時間的に並列的に、上記ディスク状記録媒体の未記録領域に対して新たな映像信号および／または音声信号を追加記録する動作モードを有し、
上記動作モードの設定に応じて、上記再生と上記追加記録とを複数年輪単位で切り換えるようにした記録方法をコンピュータ装置に実行させることを特徴とする記録プログラム。
【請求項１１】
再生時間帯が対応した単位再生時間分の映像信号および音声信号の組からなる年輪を単位として映像信号および音声信号をディスク状記録媒体に記録するようにされ、
上記ディスク状記録媒体に記録されている映像信号および／または音声信号を再生すると共に、上記再生に対して時間的に並列的に、上記ディスク状記録媒体に記録されている上記再生された映像信号および／または音声信号に対して新たな映像信号および／または音声信号を上書き記録する第１の動作モードと、
上記ディスク状記録媒体に記録されている映像信号および／または音声信号を再生すると共に、上記再生に対して時間的に並列的に、上記ディスク状記録媒体の未記録領域に対して新たな映像信号および／または音声信号を追加記録する第２の動作モードと
を有し、
上記動作モードの設定に応じて、上記第１の動作モードが設定された場合には上記再生と上記上書き記録とを複数年輪単位で切り換え、上記第２の動作モードが設定された場合には上記再生と上記追加記録とを複数年輪単位で切り換えるようにしたことを特徴とする記録装置。
【請求項１２】
請求項１１に記載の記録装置において、
上記切り換えを行う上記単位を、上記再生される上記映像信号および／または音声信号、ならびに、上記上書き記録される上記映像信号および／または音声信号の転送速度に応じた複数年輪に設定するようにしたことを特徴とする記録装置。
【請求項１３】
請求項１１に記載の記録装置において、
上記切り換えを行う上記単位を、上記記録および上記再生を行う系の性能に応じた複数年輪に設定するようにしたことを特徴とする記録装置。
【請求項１４】
再生時間帯が対応し単位再生時間分の映像信号および音声信号の組からなる年輪単位で映像信号および音声信号がディスク状記録媒体に記録するようにされ、
上記ディスク状記録媒体に記録されている映像信号および／または音声信号を再生すると共に、上記再生に対して時間的に並列的に、上記ディスク状記録媒体に記録されている上記再生された映像信号および／または音声信号に対して新たな映像信号および／または音声信号を上書き記録する第１の動作モードと、
上記ディスク状記録媒体に記録されている映像信号および／または音声信号を再生すると共に、上記再生に対して時間的に並列的に、上記ディスク状記録媒体の未記録領域に対して新たな映像信号および／または音声信号を追加記録する第２の動作モードと
を有し、
上記動作モードの設定に応じて、上記第１の動作モードが設定された場合には上記再生と上記上書き記録とを複数年輪単位で切り換え、上記第２の動作モードが設定された場合には上記再生と上記追加記録とを複数年輪単位で切り換えるようにしたことを特徴とする記録方法。
【請求項１５】
再生時間帯が対応し単位再生時間分の映像信号および音声信号の組からなる年輪単位で映像信号および音声信号がディスク状記録媒体に記録するようにされ、
上記ディスク状記録媒体に記録されている映像信号および／または音声信号を再生すると共に、上記再生に対して時間的に並列的に、上記ディスク状記録媒体に記録されている上記再生された映像信号および／または音声信号に対して新たな映像信号および／または音声信号を上書き記録する第１の動作モードと、
上記ディスク状記録媒体に記録されている映像信号および／または音声信号を再生すると共に、上記再生に対して時間的に並列的に、上記ディスク状記録媒体の未記録領域に対して新たな映像信号および／または音声信号を追加記録する第２の動作モードと
を有し、
上記動作モードの設定に応じて、上記第１の動作モードが設定された場合には上記再生と上記上書き記録とを複数年輪単位で切り換え、上記第２の動作モードが設定された場合には上記再生と上記追加記録とを複数年輪単位で切り換えるようにした記録方法をコンピュータ装置に実行させることを特徴とする記録プログラム。
【発明の詳細な説明】
【０００１】
【発明の属する技術分野】
この発明は、再生時間帯が対応した単位再生時間分の映像信号および音声信号の組からなる年輪を単位として映像信号および音声信号をディスク状記録媒体に記録するようにした記録装置および方法、記録プログラムに関する。
【０００２】
【従来の技術】
映像作品の製作過程で実行される様々な編集操作として、アフレコ編集およびプリリード編集がある。アフレコ編集は、記録媒体に記録済みのオーディオデータ／ビデオデータ（以下、ＡＶデータ）について、全てあるいは部分を再生すると同時に、新たな映像または音声信号を書き加えていく、あるいは、書き換えていく編集である。ここで、書き加える処理は、記録媒体上の未記録領域に対して新たにデータを記録する動作を指す。また、書き換える処理は、記録媒体上の記録済み領域に対して新しいデータを上書きする動作を指す。
【０００３】
アフレコ編集では、音声のみの書き加えまたは書き換え、映像のみの書き加えまたは書き換え、音声および映像の両方の書き加えまたは書き換えを行う場合がある。すなわち、アフレコ編集によれば、記録済みの映像作品に対して、ある部分または全体の映像はそのままで音声だけを他の音声に差し替えたり、音声はそのままで映像だけを他の映像に差し替えたりすることができる。また、記録済みの映像作品のある部分の映像および音声を他の映像および音声に差し替えることもできる。
【０００４】
アフレコ編集を行うことで、例えば、予め記録された映像および音声素材に対し、ナレーションを追加記録するような編集操作が可能である。また例えば、予め記録されたナレーションやＢＧＭ（Ｂａｃｋ  Ｇｒｏｕｎｄ  Ｍｕｓｉｃ）などの音声信号に合わせて映像を嵌め込んでいくような編集も可能である。これらの場合、予め記録された映像および／または音声を再生しながら嵌め込まれる映像および／または音声を記録することになる。
【０００５】
一方、プリリード編集は、記録済みの映像および／または音声の全てまたは部分を再生すると同時に、新たな映像および／または音声信号で記録済みデータを書き換えていく編集のうち、特に、再生された信号と同じ記録場所を書き換える動作を指す。プリリード編集の例としては、テロップのスーパーインポーズがある。この場合には、再生された映像に対して文字情報をオーバーレイし、文字情報がオーバーレイされた映像を元の映像信号が記録されていた場所に上書きしていくような動作を取る。
【０００６】
近年では、ＡＶデータの記録再生を行うための記録媒体として、より波長の短いレーザ光を光源として用い、より大容量のデータの記録再生を可能としたディスク状記録媒体（以下、光ディスク）を用いることが提案されている。特許文献１には、光ディスクを記録媒体に用いてボイスオーバー（アフレコ）記録を行うようにした編集装置及び編集方法が記載されている。
【０００７】
【特許文献１】
特開平１１−１３６６０９号公報
【０００８】
【発明が解決しようとする課題】
ＡＶデータの記録再生を行うような機器においては、このような、アフレコ編集やプリリード編集が可能であることが求められる。アフレコ編集やプリリード編集においては、再生を行いながら記録が行われるため、記録媒体としてディスク状記録媒体を用いた場合、ヘッドのシーク動作が頻繁に行われるようになる。アフレコ動作における読み出しおよび書き込みの動作切り換えでは、読み出しを行っている点に対して過去のデータが記録されている場所に対して書き込みを行う必要がある。すなわち、読み出しおよび書き込みの動作切り換えの際には、ヘッドのシーク動作を伴う。
【０００９】
ところが、上述したような光ディスクは、ハードディスクドライブなどと比較してシーク時間が長くかかり、アクセス速度が遅い。また、光ディスクを記録媒体に用いた場合、レーザ出力の記録パワーと再生パワー切り換えに、一定の時間を要する場合もある。そのため、記録と再生の切り換え時に転送レートの低下が発生し、映像および音声信号のデータ転送量によっては、シーク動作などが実時間に追従できずに、結果的に、アフレコ動作やプリリード動作が成立しない可能性があるという問題点があった。
【００１０】
したがって、この発明の目的は、光ディスクを記録媒体に用いた場合に、アフレコ編集およびプリリード編集動作におけるデータ転送レートの低下量を抑えることができる記録装置および方法、ならびに、記録プログラムを提供することにある。
【００１１】
【課題を解決するための手段】
この発明は、上述した課題を解決するために、再生時間帯が対応した単位再生時間分の映像信号および音声信号の組からなる年輪を単位として映像信号および音声信号をディスク状記録媒体に記録するようにされ、ディスク状記録媒体に記録されている映像信号および／または音声信号を再生すると共に、再生に対して時間的に並列的に、ディスク状記録媒体に記録されている再生された映像信号および／または音声信号に対して新たな映像信号および／または音声信号を上書き記録する動作モードを有し、動作モードの設定に応じて、再生と上書き記録とを複数年輪単位で切り換えるようにしたことを特徴とする記録装置である。
【００１２】
また、この発明は、再生時間帯が対応した単位再生時間分の映像信号および音声信号の組からなる年輪を単位として映像信号および音声信号をディスク状記録媒体に記録するようにされ、ディスク状記録媒体に記録されている映像信号および／または音声信号を再生すると共に、再生に対して時間的に並列的に、ディスク状記録媒体に記録されている再生された映像信号および／または音声信号に対して新たな映像信号および／または音声信号を上書き記録する動作モードを有し、動作モードの設定に応じて、再生と上書き記録とを複数年輪単位で切り換えるようにしたことを特徴とする記録方法である。
【００１３】
また、この発明は、再生時間帯が対応した単位再生時間分の映像信号および音声信号の組からなる年輪を単位として映像信号および音声信号をディスク状記録媒体に記録するようにされ、ディスク状記録媒体に記録されている映像信号および／または音声信号を再生すると共に、再生に対して時間的に並列的に、ディスク状記録媒体に記録されている再生された映像信号および／または音声信号に対して新たな映像信号および／または音声信号を上書き記録する動作モードを有し、動作モードの設定に応じて、再生と上書き記録とを複数年輪単位で切り換えるようにした記録方法をコンピュータ装置に実行させることを特徴とする記録プログラムである。
【００１４】
また、この発明は、再生時間帯が対応した単位再生時間分の映像信号および音声信号の組からなる年輪を単位として映像信号および音声信号をディスク状記録媒体に記録するようにされ、ディスク状記録媒体に記録されている映像信号および／または音声信号を再生すると共に、再生に対して時間的に並列的に、ディスク状記録媒体の未記録領域に対して新たな映像信号および／または音声信号を追加記録する動作モードを有し、動作モードの設定に応じて、再生と追加記録とを複数年輪単位で切り換えるようにしたことを特徴とする記録装置である。
【００１５】
また、この発明は、再生時間帯が対応した単位再生時間分の映像信号および音声信号の組からなる年輪を単位として映像信号および音声信号をディスク状記録媒体に記録するようにされ、ディスク状記録媒体に記録されている映像信号および／または音声信号を再生すると共に、再生に対して時間的に並列的に、ディスク状記録媒体の未記録領域に対して新たな映像信号および／または音声信号を追加記録する動作モードを有し、動作モードの設定に応じて、再生と追加記録とを複数年輪単位で切り換えるようにしたことを特徴とする記録方法である。
【００１６】
また、この発明は、再生時間帯が対応した単位再生時間分の映像信号および音声信号の組からなる年輪を単位として映像信号および音声信号をディスク状記録媒体に記録するようにされ、ディスク状記録媒体に記録されている映像信号および／または音声信号を再生すると共に、再生に対して時間的に並列的に、ディスク状記録媒体の未記録領域に対して新たな映像信号および／または音声信号を追加記録する動作モードを有し、動作モードの設定に応じて、再生と追加記録とを複数年輪単位で切り換えるようにした記録方法をコンピュータ装置に実行させることを特徴とする記録プログラムである。
【００１７】
また、この発明は、再生時間帯が対応した単位再生時間分の映像信号および音声信号の組からなる年輪を単位として映像信号および音声信号をディスク状記録媒体に記録するようにされ、ディスク状記録媒体に記録されている映像信号および／または音声信号を再生すると共に、再生に対して時間的に並列的に、ディスク状記録媒体に記録されている再生された映像信号および／または音声信号に対して新たな映像信号および／または音声信号を上書き記録する第１の動作モードと、ディスク状記録媒体に記録されている映像信号および／または音声信号を再生すると共に、再生に対して時間的に並列的に、ディスク状記録媒体の未記録領域に対して新たな映像信号および／または音声信号を追加記録する第２の動作モードとを有し、動作モードの設定に応じて、第１の動作モードが設定された場合には再生と上書き記録とを複数年輪単位で切り換え、第２の動作モードが設定された場合には再生と追加記録とを複数年輪単位で切り換えるようにしたことを特徴とする記録装置である。
【００１８】
また、この発明は、再生時間帯が対応し単位再生時間分の映像信号および音声信号の組からなる年輪単位で映像信号および音声信号がディスク状記録媒体に記録するようにされ、ディスク状記録媒体に記録されている映像信号および／または音声信号を再生すると共に、再生に対して時間的に並列的に、ディスク状記録媒体に記録されている再生された映像信号および／または音声信号に対して新たな映像信号および／または音声信号を上書き記録する第１の動作モードと、ディスク状記録媒体に記録されている映像信号および／または音声信号を再生すると共に、再生に対して時間的に並列的に、ディスク状記録媒体の未記録領域に対して新たな映像信号および／または音声信号を追加記録する第２の動作モードとを有し、動作モードの設定に応じて、第１の動作モードが設定された場合には再生と上書き記録とを複数年輪単位で切り換え、第２の動作モードが設定された場合には再生と追加記録とを複数年輪単位で切り換えるようにしたことを特徴とする記録方法である。
【００１９】
また、この発明は、再生時間帯が対応し単位再生時間分の映像信号および音声信号の組からなる年輪単位で映像信号および音声信号がディスク状記録媒体に記録するようにされ、ディスク状記録媒体に記録されている映像信号および／または音声信号を再生すると共に、再生に対して時間的に並列的に、ディスク状記録媒体に記録されている再生された映像信号および／または音声信号に対して新たな映像信号および／または音声信号を上書き記録する第１の動作モードと、ディスク状記録媒体に記録されている映像信号および／または音声信号を再生すると共に、再生に対して時間的に並列的に、ディスク状記録媒体の未記録領域に対して新たな映像信号および／または音声信号を追加記録する第２の動作モードとを有し、動作モードの設定に応じて、第１の動作モードが設定された場合には再生と上書き記録とを複数年輪単位で切り換え、第２の動作モードが設定された場合には再生と追加記録とを複数年輪単位で切り換えるようにした記録方法をコンピュータ装置に実行させることを特徴とする記録プログラムである。
【００２０】
上述したように、第１の発明によれば、再生時間帯が対応した単位再生時間分の映像信号および音声信号の組からなる年輪を単位として映像信号および音声信号をディスク状記録媒体に記録するようにされ、ディスク状記録媒体に記録されている映像信号および／または音声信号を再生すると共に、再生に対して時間的に並列的に、ディスク状記録媒体に記録されている再生された映像信号および／または音声信号に対して新たな映像信号および／または音声信号を上書き記録する動作モードを有し、動作モードの設定に応じて、再生と上書き記録とを複数年輪単位で切り換えるようにしているため、再生と上書き記録とを１の年輪単位で切り換えるよりも再生と上書き記録とを切り換える回数が低下され、読み出し動作も書き込み動作も行えないような時間が減少して実効的なデータ転送速度の低下量が低減される。
【００２１】
また、第２の発明によれば、再生時間帯が対応した単位再生時間分の映像信号および音声信号の組からなる年輪を単位として映像信号および音声信号をディスク状記録媒体に記録するようにされ、ディスク状記録媒体に記録されている映像信号および／または音声信号を再生すると共に、再生に対して時間的に並列的に、ディスク状記録媒体の未記録領域に対して新たな映像信号および／または音声信号を追加記録する動作モードを有し、動作モードの設定に応じて、再生と追加記録とを複数年輪単位で切り換えるようにしているため、再生と上書き記録とを１の年輪単位で切り換えるよりも再生と上書き記録とを切り換える回数が低下され、読み出し動作も書き込み動作も行えないような時間が減少して実効的なデータ転送速度の低下量が低減される。
【００２２】
また、第３の発明によれば、再生時間帯が対応し単位再生時間分の映像信号および音声信号の組からなる年輪単位で映像信号および音声信号がディスク状記録媒体に記録するようにされ、ディスク状記録媒体に記録されている映像信号および／または音声信号を再生すると共に、再生に対して時間的に並列的に、ディスク状記録媒体に記録されている再生された映像信号および／または音声信号に対して新たな映像信号および／または音声信号を上書き記録する第１の動作モードと、ディスク状記録媒体に記録されている映像信号および／または音声信号を再生すると共に、再生に対して時間的に並列的に、ディスク状記録媒体の未記録領域に対して新たな映像信号および／または音声信号を追加記録する第２の動作モードとを有し、動作モードの設定に応じて、第１の動作モードが設定された場合には再生と上書き記録とを複数年輪単位で切り換え、第２の動作モードが設定された場合には再生と追加記録とを複数年輪単位で切り換えるようにしているため、再生と上書き記録または追加記録とを１の年輪単位で切り換えるよりも再生と上書き記録とを切り換える回数が低下され、読み出し動作も書き込み動作も行えないような時間が減少して実効的なデータ転送速度の低下量が低減される。
【００２３】
【発明の実施の形態】
以下、この発明の実施の一形態について説明する。この発明の実施の一形態による記録再生装置では、実際の放送や編集の対象とされるより高解像度で圧縮符号化されたＡＶデータ（本線系と称する）と、本線系のＡＶデータに対応した補助ＡＶデータおよびメタデータとが同一のディスク上に記録される。記録媒体としては、例えば、波長４０５ｎｍのレーザ光を発する青紫色レーザを光源として記録再生を行い、片面１層構造で２３ＧＢ（ギガバイト）の記録容量を実現した光ディスクを用いることができる。
【００２４】
本線系のＡＶデータは、ベースバンドのビデオデータが例えばＭＰＥＧ２（Ｍｏｖｉｎｇ  Ｐｉｃｔｕｒｅｓ  Ｅｘｐｅｒｔｓ  Ｇｒｏｕｐ  ２）方式により、ビットレートが例えば５０Ｍｂｐｓ（Ｍｅｇｅ  ｂｉｔ  ｐｅｒ  ｓｅｃｏｎｄ）に収まるように圧縮符号化されて記録される。
【００２５】
補助ＡＶデータは、本線系のＡＶデータに基づくより低ビットレートとしたオーディオ／ビデオデータである。この補助ＡＶデータは、本線系のＡＶデータを、ビットレートを例えば数Ｍｂｐｓまで落とすように圧縮符号化して生成する。補助ＡＶデータを生成するための符号化方式としては、例えばＭＰＥＧ４を用いることができる。
【００２６】
メタデータは、あるデータに関する上位データであり、各種データの内容を表すためのインデックスとして機能する。メタデータには、上述の本線系のＡＶデータの時系列に沿って発生される時系列メタデータと、本線系のＡＶデータにおけるシーン毎など、所定の区間に対して発生される非時系列メタデータの２種類がある。
【００２７】
時系列メタデータは、例えばタイムコード、ＵＭＩＤ（Ｕｎｉｑｕｅ  Ｍａｔｅｒｉａｌ  Ｉｄｅｎｔｉｆｉｅｒ）、エッセンスマークが必須データとされる。さらに、撮影時におけるビデオカメラのアイリスやズーム情報といったカメラメタ情報を、時系列メタデータに含めることもできる。さらにまた、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）に規定される情報を時系列メタデータに含めることもできる。
【００２８】
非時系列メタデータとしては、タイムコードやＵＭＩＤの変化点情報、エッセンスマークに関する情報、ユーザビットなどが含まれる。
【００２９】
ＵＭＩＤについて、概略的に説明する。ＵＭＩＤは、ビデオデータ、オーディオデータおよびその他の素材データを識別するために唯一的に決定される、ＳＭＰＴＥ−３３０Ｍにより規格化された識別子である。
【００３０】
図１は、ＵＭＩＤのデータ構造を示す。ＵＭＩＤは、素材データを識別するためのＩＤ情報としてのベーシックＵＭＩＤと、素材データ内の各コンテンツを識別するためのシグネイチャメタデータとから構成される。ベーシックＵＭＩＤおよびシグネイチャメタデータは、それぞれ３２バイトのデータ長からなるデータ領域を有する。ベーシックＵＭＩＤにシグネイチャメタデータが付加された６４バイトのデータ長を有する領域を、拡張ＵＭＩＤと称する。
【００３１】
ベーシックＵＭＩＤは、１２バイトのデータ長を有する領域Ｕｎｉｖｅｒｓａｌ  Ｌａｂｅｌと、１バイトのデータ長を有する領域Ｌｅｎｇｔｈ  Ｖａｌｕｅと、３バイトのデータ長を有する領域Ｉｎｓｔａｎｃｅ  Ｎｕｍｂｅｒと、１６バイトのデータ長を有する領域Ｍａｔｅｒｉａｌ  Ｎｕｍｂｅｒとから構成される。
【００３２】
領域Ｕｎｉｖｅｒｓａｌ  Ｌａｂｅｌは、直後から続くデータ列がＵＭＩＤであることを識別するための符号が格納される。領域Ｌｅｎｇｔｈ  Ｖａｌｕｅは、ＵＭＩＤの長さが示される。ベーシックＵＭＩＤと拡張ＵＭＩＤとでは符号の長さが異なるため、領域Ｌｅｎｇｔｈにおいて、ベーシックＵＭＩＤは値〔１３ｈ〕で示され、拡張ＵＭＩＤは値〔３３ｈ〕で示される。なお、この括弧〔〕内の表記において、数字の後の「ｈ」は、数字が１６進表記であることを示す。領域Ｉｎｓｔａｎｃｅ  Ｎｕｍｂｅｒは、素材データに上書き処理や編集処理が施されたか否かが示される。
【００３３】
領域Ｍａｔｅｒｉａｌ  Ｎｕｍｂｅｒは、８バイトのデータ長を有する領域Ｔｉｍｅ  Ｓｎａｐと、２バイトのデータ長を有する領域Ｒｎｄと、６バイトのデータ長を有する領域Ｍａｃｈｉｎｅ  ｎｏｄｅの３つの領域からなる。領域Ｔｉｍｅ  Ｓｎａｐは、１日のスナップクロックサンプル数を示す。これにより、クロック単位で素材データの作成時刻などが示される。領域Ｒｎｄは、正確でない時刻をセットしたときや、例えばＩＥＥＥで定義された機器のネットワークアドレスが変化したときに、番号が重複して付されないようにするためのランダムナンバである。
【００３４】
シグネイチャメタデータは、８バイトのデータ長を有する領域Ｔｉｍｅ．Ｄａｔｅと、１２バイトのデータ長を有する領域Ｓｐａｔｉａｌ  Ｃｏ−ｏｒｄｉｎａｔｅｓと、それぞれ４バイトのデータ長を有する領域Ｃｏｕｎｔｒｙ、領域Ｏｒｇａｎｉｚａｔｉｏｎおよび領域Ｕｓｅｒとから構成される。
【００３５】
領域Ｔｉｍｅ／Ｄａｔｅは、素材が生成された時間と日付とが示される。領域Ｓｐａｔｉａｌ  Ｃｏ−ｏｒｄｉｎａｔｅｓは、素材が生成された時間に関する補正情報（時差情報）や、緯度、経度および高度で表される位置情報とが示される。位置情報は、例えばビデオカメラにＧＰＳ（Ｇｌｏｂａｌ  Ｐｏｓｉｔｉｏｎｉｎｇ  Ｓｙｓｔｅｍ）に対応する機能を設けることで取得可能である。領域Ｃｏｕｎｔｒｙ、領域Ｏｒｇａｎｉｚａｔｉｏｎおよび領域Ｕｓｅｒは、省略されたアルファベットの文字や記号などを用いて、それぞれ国名、組織名およびユーザ名が示される。
【００３６】
なお、ＵＭＩＤは、上述したように拡張ＵＭＩＤを用いる場合、データ長が６４バイトとなり、時系列的に順次記録するためには、容量が比較的大きい。そのため、時系列メタデータに対してＵＭＩＤを埋め込む際には、ＵＭＩＤを所定の方式で圧縮することが好ましい。
【００３７】
エッセンスマークについて概略的に説明する。エッセンスマークは、撮影時において例えばビデオデータに構成される映像シーン（またはカット）である映像シーンデータに関連するインデックスを表す。例えば、記録の開始位置を表す撮影開始マーク、記録の終了位置を表す撮影終了マーク、注目すべき時点などの任意の位置を表すショットマーク、カット位置を表すカットマークなどがエッセンスマークとして定義される。これに限らず、フラッシュが発光された位置やシャッタ速度を変更した位置など、撮影に関する他の情報をエッセンスマークとして定義することもできる。
【００３８】
エッセンスマークを用いることで、撮影後に、どのようなシーンであるかが映像シーンデータの再生処理をしなくても把握することができる。エッセンスマークを予め予約語として定義しておくことで、例えば撮像装置、再生装置および編集装置のインターフェイス間で、エッセンスマークを相手装置に応じて変換することなく、共通した制御を行うことが可能とされる。また、エッセンスマークを粗編集処理時にインデックス情報として用いることで、目的とする映像シーンを効率的に選択することが可能とされる。
【００３９】
次に、この発明の実施の一形態によるディスク上へのデータ配置について説明する。この発明の実施の一形態では、ディスク上に年輪を形成するようにしてデータを記録する。年輪データは、データの再生時間によって示されるデータ量を単位としてディスクに記録されるデータである。例えば本線系のオーディオデータおよびビデオデータに限定して説明すると、再生時間帯が対応するオーディオデータおよびビデオデータを、トラックの１周分以上のデータサイズを有する所定の再生時間単位毎に交互に配置して記録する。このように記録を行うことで、再生時間帯が対応するオーディオデータおよびビデオデータの組が時系列的に重層されて、年輪が形成される。
【００４０】
この実施の一形態では、実際には、再生時間帯が対応するオーディオデータおよびビデオデータに加え、これらのデータに再生時間帯が対応する補助ＡＶデータおよび時系列メタデータを一組として記録することで年輪を形成し、光ディスク１に対するデータの記録を行う。
【００４１】
換言すると、年輪構造においては、再生時間帯が対応するオーディオデータおよびビデオデータ、ならびに、対応する補助ＡＶデータ、時系列メタデータが年輪単位でインターリーブされる。
【００４２】
なお、年輪を形成するデータを年輪データと称する。年輪データは、ディスクにおける最小の記録単位であるセクタの整数倍のデータ量とされる。また、年輪は、その境界がディスクのセクタの境界と一致するように記録される。
【００４３】
図２は、光ディスク１に対して年輪データが形成された一例の様子を示す。この図２の例では、光ディスク１の内周側から順に、オーディオ年輪データ＃１、ビデオ年輪データ＃１、オーディオ年輪データ＃２、ビデオ年輪データ＃２、補助ＡＶ年輪データ＃１および時系列メタ年輪データ＃１が記録されており、この周期で年輪データが扱われる。時系列メタ年輪データ＃１の外周側には、さらに、次の周期の年輪データの一部がオーディオ年輪データ＃３およびビデオ年輪データ＃３として示されている。
【００４４】
この図２の例は、時系列メタ年輪データの１年輪データ分の再生時間帯と補助ＡＶ年輪データの１年輪データ分の再生時間帯とが対応し、時系列メタ年輪データの１年輪データ分の再生時間帯とオーディオ年輪データの２周期分の再生時間帯が対応することを示している。同様に、時系列メタ年輪データの１年輪データ分の再生時間帯とビデオ年輪データの２周期分の再生時間帯が対応することを示している。このような、各年輪データの再生時間帯および周期の対応付けは、例えばそれぞれのデータレートなどに基づき設定される。なお、ビデオ年輪データやオーディオ年輪データの１年輪データ分の再生時間は、経験値的には１．５秒〜２秒程度が好ましい。
【００４５】
図３は、上述の図２のように年輪が形成された光ディスク１に対するデータの読み書きが行われる一例の様子を示す。光ディスク１に十分な大きさの連続した空き領域が存在し、その空き領域に欠陥が無い場合、オーディオデータ、ビデオデータ、補助ＡＶデータ時系列メタデータの各データ系列から、再生時間帯に基づきそれぞれ生成されたオーディオ年輪データ、ビデオ年輪データ、補助ＡＶ年輪データおよび時系列メタ年輪データは、図３Ａに一例が示されるように、光ディスク１の空き領域に対して、恰も一筆書きをするように書き込まれる。このとき、何れのデータの境界も、光ディスク１のセクタの境界と一致するように書き込まれる。光ディスク１からのデータの読み出しも、書き込み時と同様にして行われる。
【００４６】
一方、光ディスク１からある特定のデータ系列を読み出す場合には、読み出しデータ系列の記録位置にシークしてそのデータを読み出すという動作が繰り返される。図３Ｂは、このようにして補助ＡＶデータの系列を選択的に読み出す様子を示す。例えば図２も参照し、補助ＡＶ年輪データ＃１が読み出されたら、続いて記録されている時系列メタ年輪データ＃１、オーディオ年輪データ＃３およびビデオ年輪データ＃３、ならびに、オーディオ年輪データ＃４およびビデオ年輪データ＃４（図示しない）をシークにより飛び越し、次の周期の補助ＡＶ年輪データ＃２が読み出される。
【００４７】
このように、データの光ディスク１への記録を、再生時間を単位とし、再生時間帯に応じた年輪データとして周期的に行うことで、同じような再生時間帯のオーディオ年輪データとビデオ年輪データとが光ディスク１上の近い位置に配置されるので、光ディスク１から、再生時刻が対応するのオーディオデータとビデオデータとを迅速に読み出して再生することが可能となる。また、年輪の境界とセクタの境界とが一致するように記録されるので、光ディスク１からオーディオデータまたはビデオデータだけを読み出すことが可能となり、オーディオデータまたはビデオデータだけの編集を迅速に行うことが可能となる。また、上述したように、オーディオ年輪データ、ビデオ年輪データ、補助ＡＶ年輪データおよび時系列メタ年輪データは、光ディスク１のセクタの整数倍のデータ量を有し、さらに、年輪データの境界とセクタの境界とが一致するように記録されている。そのため、オーディオ年輪データ、ビデオ年輪データ、補助ＡＶ年輪データおよび時系列メタ年輪データのうち何れか１系列のデータだけが必要な場合に、他のデータの読み出しを行うことなく、必要なデータだけを読み出すことができる。
【００４８】
上述したような、年輪によるデータ配置の利便性を活かすためには、光ディスク１に対するデータの記録を、年輪の連続性が保証されるように行う必要がある。このことについて、図４を用いて説明する。例えば補助ＡＶ年輪データ（図４では「ＬＲ」と表示）だけ読み出すことを考える。
【００４９】
例えば記録時に連続した十分に大きな空き領域が確保されていれば、複数周期の年輪を連続的に記録することができる。この場合、図４Ａに示されるように、時間的に連続する補助ＡＶ年輪データを、最小のトラックジャンプで読み出すことができる。すなわち、補助ＡＶ年輪データを読み出したら、次の周期の年輪における補助ＡＶ年輪データを読み出すという動作を繰り返すことが可能となり、ピックアップがジャンプする距離が最短となる。
【００５０】
これに対して、例えば記録時に連続した空き領域が確保できず、時間的に連続する補助ＡＶデータを光ディスク１上の飛び飛びの領域に記録した場合、図４Ｂに一例が示されるように、最初の補助ＡＶ年輪データを読み出したら、例えば年輪の複数周期分に相当する距離をピックアップがジャンプして、次の補助ＡＶ年輪データを読み出さなければならない。この動作が繰り返されるため、図４Ａに示される場合に比べて、補助ＡＶ年輪データの読み出し速度が低下してしまう。また、本線系のＡＶデータにおいては、図４Ｃに一例が示されるように、未編集ＡＶデータ（ＡＶクリップ）の再生が滞る可能性がある。
【００５１】
そこで、この発明の実施の一形態では、年輪の連続性を保証するために、年輪の複数周期分の長さを持つアロケーションユニットを定義し、年輪でデータを記録する際に、このアロケーションユニットで定義されたアロケーションユニット長を越える長さの、連続した空き領域を確保する。
【００５２】
図５を用いてより具体的に説明する。アロケーションユニット長は、予め設定される。アロケーションユニット長を、年輪で１周期に記録される各データの合計再生時間の複数倍に設定する。例えば、年輪の１周期に対応する再生時間が２秒であるとした場合、アロケーションユニット長を１０秒に設定する。このアロケーションユニット長は、光ディスク１の空き領域の長さを計測する物差しとして用いられる（図５右上参照）。初期状態を、図５Ａに一例が示されるように、使用済み領域が光ディスク１に対して飛び飛びに３箇所、配置されているものとし、使用済み領域に挟まれた部分を空き領域とする。
【００５３】
この光ディスク１に対してある程度の長さを有するＡＶデータと、当該ＡＶデータに対応する補助ＡＶデータとを記録する場合、先ず、アロケーションユニット長と空き領域の長さとを比較して、アロケーションユニット長以上の長さを有する空き領域を予約領域として確保する（図５Ｂ）。この図５の例では、２つの空き領域のうち、右側の空き領域がアロケーションユニット長より長いとされ、予約領域として確保される。次に、この予約領域に対して、予約領域の先頭から年輪データを順次連続的に記録する（図５Ｃ）。このように年輪データを記録していき、予約領域の空き領域の長さが次に記録する年輪データの１周期分の長さに満たないときは（図５Ｄ）、予約領域を開放し、図５Ａのように、光ディスク１上のさらに他の空き領域に対してアロケーションユニット長を適用させながら、予約領域にできる空き領域を探す。
【００５４】
このように、複数周期分の年輪が記録できるだけの空き領域を探して、当該空き領域に年輪を記録することで、ある程度の年輪の連続性が保証され、年輪データの再生をスムースに行うことが可能とされる。なお、アロケーションユニット長は、上述では１０秒に設定したが、これはこの例に限定されず、さらに長い再生時間に対応する長さをアロケーションユニット長として設定することができる。実際的には、１０秒〜３０秒の間でアロケーションユニット長を設定すると好ましい。
【００５５】
ここで、このような年輪構造によって記録再生を行う場合のアフレコ編集およびプリリード編集について考える。従来の技術で既に説明したように、アフレコ編集においては、記録済みの映像および音声データの全てあるいは部分を再生すると同時に、新たな映像および／または音声データを書き加えていく、あるいは、書き換えていく動作が行われる。また、プリリード編集においては、記録済みの映像および／または音声の全てあるいは部分を再生すると同時に、再生されたデータの記録位置と同じ位置の映像および／または音声データを書き換える動作が行われる。
【００５６】
このような動作を行うためには、ディスク上で書き換えられる領域と、映像および／または音声データが記録されたまま書き換えられない領域とが別領域となっていると都合がよい。年輪構造は、このような記録形態を実現するための一方法であるといえる。また、年輪構造は、映像データおよび音声データの各トラックを独立的にアクセスする用途に適している。
【００５７】
上述したように、年輪構造においては、１年輪データ分の再生時間が２秒程度に設定される。１年輪データ分の再生時間が長いほどトラックにおける独立的なアクセス性能が向上する反面、１年輪データ分の再生時間に対応する映像データや音声データの記録を行うために必要なメモリ容量が増大すると共に、メモリ上で各トラックのインタリーブを実現するための遅延が大きくなる。１年輪データ分の再生時間を２秒程度とすることで、多くの場合に、バッファのメモリ容量、遅延時間および独立アクセス性能とのバランスを取ることができる。
【００５８】
一方、年輪構造においてアフレコ編集やプリリード編集を行う場合、インターリーブ単位すなわち年輪単位でデータの読み出し動作と書き込み動作との切り換えを行うのが、メモリ容量の観点では効率がよい。
【００５９】
しかしながら、例えばアフレコ編集時におけるディスクからの読み出し動作とディスクに対する書き込み動作の切り換えでは、読み出しを行っている点に対して過去のデータが記録されている場所に、アフレコで追加するデータの書き込みを行う必要がある。図６を用いて説明する。図６Ｂは、年輪データが光ディスク１に形成された例を示し、図６Ａは、図６Ｂに一例が示される年輪データを時間軸上に展開した例を示す。図６Ａおよび図６Ｂにおいて、「Ａ」、「Ｍ」および「Ｖ」は、それぞれオーディオデータ、時系列メタデータおよびビデオデータを表す。
【００６０】
図６Ａに例示されるように、１つの年輪データに記録されたオーディオデータ、時系列メタデータおよびビデオデータは、同一の時間上のデータである。例えば、光ディスク１から１年輪分のデータが例えばオーディオデータ、メタデータおよびビデオデータの順に読み出されてバッファメモリなどに溜め込まれ、それぞれ１年輪分の再生時間（この例では２秒）をかけて再生される。
【００６１】
ビデオデータを再生しながら、再生されているビデオデータに対してオーディオデータを嵌め込むようなアフレコ編集を考える。この場合、例えば区間ａ−ｂのデータが読み出された後、区間ｂ−ｃのデータが読み出され（▲１▼）、これらのデータがメモリに溜め込まれる。そして、区間ｂ−ｃに対して過去のデータである区間ａ−ｂのビデオデータがメモリから読み出されて再生されながら、区間ａ−ｂに対して対応するオーディオデータが書き込まれる（▲２▼）。同様にして、区間ｃ−ｄのデータが読み出されて（▲３▼）メモリに溜め込まれ、区間ｃ−ｄに対して過去のデータである区間ｂ−ｃのビデオデータがメモリから読み出されて再生されながら、区間ｂ−ｃに対して対応するオーディオデータが書き込まれる（▲４▼）。
【００６２】
これを、光ディスク１に対するアクセスの面から見れば、例えば図６Ｂに一例が示されるように、▲１▼の区間ｂ−ｃの読み出しにより位置ｃがアクセスされたら、位置ｃから位置ａまでピックアップがシークされて▲２▼の区間ａ−ｂの書き込みが行われる。その後、ピックアップが位置ｂから位置ｃにシークされて▲３▼の読み出しが行われ、位置ｄから位置ｂまでピックアップがシークされて▲４▼の区間ｂ−ｃの書き込みが行われる。このようなシーク動作は、アフレコ編集に限らず、プリリード編集においても同様に行われる。
【００６３】
このように、アフレコ編集やプリリード編集では、読み出しと書き込みの切り換えに際して、光学ピックアップのシークが年輪データの時間単位で頻繁に行われることになる。また、従来技術で既に説明したように、記録再生系によっては、光ピックアップにおけるレーザ出力の記録パワーと再生パワーとの切り換えに、一定の時間を要する場合がある。
【００６４】
したがって、インターリーブの間隔が略２秒の場合に、年輪単位で読み出しと書き込みの動作切り換えを行った場合、切り換え間隔が短いことによるデータ転送レートの低下が発生する可能性がある。そのため、記録されるビデオデータやオーディオデータのデータ転送量によっては、結果的に、アフレコ動作やプリリード動作が成立しないおそれが出てくる。
【００６５】
この実施の一形態では、このアフレコ編集やプリリード編集時の読み出しおよび書き込みの切り換え時におけるデータ転送レートの低下を少なくして、アフレコ動作やプリリード動作が破綻しないようにする。
【００６６】
すなわち、アフレコ編集やプリリード編集の動作においては、上述したような、読み出しおよび書き込みの切り換えに際して、光ピックアップのシーク時間や動作の切り換え時間など、読み出し動作も書き込み動作も行えないような時間が生じ、これが実効的なデータ転送速度を低下させる原因となる。そこで、この発明の実施の一形態では、アフレコ編集やプリリード編集時の読み出しおよび書き込みの切り換えを、複数年輪単位で行う。
【００６７】
複数年輪単位で読み出しおよび書き込みの切り換えを行うことで、上述した年輪単位での読み出しおよび書き込みの切り換えを行う場合に比べ、単位時間内での読み出しおよび書き込みの切り換え回数を低下させることができる。例えば、２年輪単位で動作の切り換えを行う場合には、１年輪毎に動作を切り換える場合に比較して、単位時間当たりの切り換え回数が１／２に低下することになる。
【００６８】
一般に、ｎ年輪単位で読み出しおよび書き込みの動作切り換えをすると、１年輪毎に動作切り換えを行う場合と比較して、単位時間当たりの切り換え回数が１／ｎに低下する。これにより、動作切り換えに起因する実効的なデータ転送速度の低下量を１／ｎに抑えることができる。
【００６９】
なお、ｎの数値を大きくするほど、すなわち、動作切り換えを行う単位年輪数を増やすほど、動作切り換えに際するデータ転送速度の低下量を低下させることができる。一方、ｎの数値を大きくするほど、アフレコ編集やプリリード編集動作を実行するために必要なワークメモリの容量が大きくなる。そのため、動作に必要とされる実効的なデータ転送速度から逆算して、ｎの値を決めることが好ましい。
【００７０】
また、これに限らず、ｎの値を可変としてもよい。例えば、ビデオデータやオーディオデータなどの、ユーザデータの転送速度に応じてアフレコ編集やプリリード編集動作時に必要なデータ転送速度が変化するため、ユーザデータの転送速度に応じてｎの値を設定することができる。さらに、記録媒体の種類に応じてデータ転送速度の最大値が変化することがあり得る。そこで、用いられる記録媒体の種類に応じてｎの値を設定するようにしてもよい。
【００７１】
上述では、アフレコ編集およびプリリード編集を同様の処理のように説明したが、実際には、アフレコ編集は、光ディスク１上の、アフレコ編集の対象となるビデオデータまたはオーディオデータが既に記録されている記録済み領域にアフレコ編集によるデータを上書きする動作と、未記録領域にアフレコ編集によるデータを書き加える動作とを含む。
【００７２】
例えば、既に記録されているビデオデータおよびオーディオデータに対し、ビデオデータまたはオーディオデータの何れか一方を新たなデータですげ替えるような処理は、記録済み領域に対して新たなデータを上書き記録することで可能である。一例として、オーディオデータを新たなデータですげ替える場合、当該オーディオデータが属する年輪データにおいて、オーディオデータの記録領域に対して新たなオーディオデータが上書き記録される。また、既に記録されているビデオデータおよびオーディオデータの両方を、新たなデータですげ替えるような処理は、記録済み領域に対してデータを上書き記録することで可能とされ、また、新たなデータを新規の年輪データとして未記録領域に記録することでも可能とされる。
【００７３】
これに対して、プリリード編集は、光ディスク１上の、プリリード編集の対象となるビデオデータまたはオーディオデータが既に記録されている記録済み領域にデータを上書きする動作のみが行われる。
【００７４】
これらアフレコ編集の２つのモード、ならびに、アフレコ編集およびプリリード編集のうち何れを行うかは、装置に対する動作モードの設定により選択するようにできる。
【００７５】
図７は、この発明の実施の一形態に適用可能なディスク記録再生装置１０の一例の構成を示す。ここでは、ディスク記録再生装置１０は、ビデオカメラ（図示しない）に内蔵される記録再生部であるものとし、ビデオカメラにより撮像された撮像信号に基づくビデオ信号と、撮像に伴い入力されたオーディオ信号とが信号処理部３１に入力され、ディスク記録再生装置１０に供給される。また、信号入出力部３１から出力されたビデオ信号およびオーディオ信号は、例えばモニタ装置に供給される。
【００７６】
勿論、これは一例であって、ディスク記録再生装置１０は、独立的に用いられる装置であるとしてもよい。例えば、記録部を有さないビデオカメラと組み合わせて用いることができる。ビデオカメラから出力されたビデオ信号およびオーディオ信号や、所定の制御信号、データが信号入出力部３１を介してディスク記録再生装置１０に入力される。また例えば、他の記録再生装置で再生されたビデオ信号およびオーディオ信号を、信号入出力部３１に入力するようにできる。また、信号入出力部３１に入力されるオーディオ信号は、ビデオ信号の撮像に伴い入力されるものに限定されず、例えば撮像後に、ビデオ信号の所望の区間にオーディオ信号を記録する、アフレコ（アフターレコーディング）のためのアフレコオーディオ信号でもよい。
【００７７】
スピンドルモータ１２は、サーボ制御部１５からのスピンドルモータ駆動信号に基づいて、光ディスク１をＣＬＶ（Ｃｏｎｓｔａｎｔ  Ｌｉｎｅａｒ  Ｖｅｌｏｃｉｔｙ）またはＣＡＶ（Ｃｏｎｓｔａｎｔ  Ａｎｇｌｅｒ  Ｖｅｌｏｃｉｔｙ）で回転駆動する。
【００７８】
ピックアップ部１３は、光ピックアップを有し、信号処理部１６から供給される記録信号に基づき光ピックアップによるレーザ光の出力を制御して、光ディスク１に記録信号を記録する。ピックアップ部１３はまた、光ディスク１にレーザ光を集光して照射すると共に、光ディスク１からの反射光を光電変換して電流信号を生成し、ＲＦ（Ｒａｄｉｏ  Ｆｒｅｑｕｅｎｃｙ）アンプ１４に供給する。なお、レーザ光の照射位置は、サーボ制御部１５からピックアップ部１３に供給されるサーボ信号により所定の位置に制御される。
【００７９】
ＲＦアンプ１４は、ピックアップ部１３からの電流信号に基づいて、フォーカス誤差信号およびトラッキング誤差信号、ならびに、再生信号を生成し、トラッキング誤差信号およびフォーカス誤差信号をサーボ制御部１５に供給し、再生信号を信号処理部１６に供給する。
【００８０】
サーボ制御部１５は、フォーカスサーボ動作やトラッキングサーボ動作の制御を行う。具体的には、サーボ制御部１５は、ＲＦアンプ１４からのフォーカス誤差信号とトラッキング誤差信号に基づいてフォーカスサーボ信号とトラッキングサーボ信号をそれぞれ生成し、ピックアップ部１３のアクチュエータ（図示しない）に供給する。またサーボ制御部１５は、スピンドルモータ１２を駆動するスピンドルモータ駆動信号を生成して、光ディスク１を所定の回転速度で回転させるスピンドルサーボ動作の制御を行う。
【００８１】
さらにサーボ制御部１５は、ピックアップ部１３を光ディスク１の径方向に移動させてレーザ光の照射位置を変えるスレッド制御を行う。このスレッド制御により、ピックアップ部１３のシーク動作が行われる。なお、光ディスク１の信号読み出し位置の設定は、制御部２０によって行われ、設定された読み出し位置から信号を読み出すことができるように、ピックアップ部１３の位置が制御される。
【００８２】
信号処理部１６は、メモリコントローラ１７から入力される記録データを変調して記録信号を生成し、ピックアップ部１３に供給する。信号処理部１６はまた、ＲＦアンプ１４からの再生信号を復調して再生データを生成し、メモリコントローラ１７に供給する。
【００８３】
メモリコントローラ１７は、メモリ１８に対する書き込みアドレスの制御を行い、データ変換部１９から供給された記録データを適宜、メモリ１８に記憶する。また、メモリコントローラ１７は、メモリ１８に対する読み出しアドレスの制御を行い、メモリ１８に記憶されたデータを適宜、読み出し信号処理部１６に供給する。同様にして、メモリコントローラ１７はまた、信号処理部１６からの再生データを、適宜、メモリ１８に記憶すると共に、メモリ１８に記憶されたデータを読み出し、データ変換部１９に供給する。
【００８４】
ビデオカメラで撮影された撮影画像に基づくビデオ信号とオーディオ信号が、信号入出力部３１を介してデータ変換部１９に供給される。詳細は後述するが、データ変換部１９では、供給されたビデオ信号を、例えばＭＰＥＧ２などの圧縮符号化方式を用い、制御部２０に指示されたモードで圧縮符号化し、本線系のビデオデータを生成する。このとき、よりビットレートの低い圧縮符号化処理も行われ、補助ＡＶデータが生成される。
【００８５】
また、データ変換部１９では、供給されたオーディオ信号を、制御部２０に指示された方式で圧縮符号化し、本線系のオーディオデータとして出力する。オーディオ信号の場合は、圧縮符号化せずにリニアＰＣＭオーディオデータのまま出力してもよい。
【００８６】
データ変換部１９で上述のようにして処理された本線系のオーディオデータおよびビデオデータ、ならびに、補助ＡＶデータは、メモリコントローラ１７に供給される。
【００８７】
データ変換部１９はまた、メモリコントローラ１７から供給される再生データを、必要に応じて復号化し、所定のフォーマットの出力信号に変換して、信号入出力部３１に供給する。
【００８８】
制御部２０は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などのメモリ、これらを接続するためのバスなどからなり、このディスク記録再生装置１０の全体を制御する。ＲＯＭは、ＣＰＵの起動時に読み込まれる初期プログラムや、ディスク記録再生装置１０を制御するためのプログラムなどが予め記憶される。ＲＡＭは、ＣＰＵのワークメモリとして用いられる。また、制御部２０により、ビデオカメラ部の制御もなされる。
【００８９】
さらに、制御部２０により、ＲＯＭに予め記憶されたプログラムに従い、光ディスク１にデータを記録し、記録されたデータを再生する際のファイルシステムが提供される。すなわち、このディスク記録再生装置１０において、データの光ディスク１に対する記録、光ディスク１からのデータの再生は、制御部２０の管理下において行われる。
【００９０】
操作部２１は、例えば、ユーザによって操作され、その操作に対応する操作信号を制御部２０に供給する。制御部２０は、操作部２１からの操作信号などに基づき、サーボ制御部１５、信号処理部１６、メモリコントローラ１７およびデータ変換部１９を制御し、記録再生処理を実行させる。
【００９１】
さらに、操作部２１により、このディスク記録再生装置１０を用いて編集作業を行う際の編集モードを設定することができる。すなわち、操作部２１の操作により、上述のアフレコ編集の２つのモード、ならびに、アフレコ編集およびプリリード編集の何れを行うかを設定することができる。この設定に基づく操作信号が操作部２１から制御部２０に供給される。制御部２０は、この操作信号に基づき、アフレコ編集およびプリリード編集における光ピックアップのシーク制御を行うための制御信号を生成し、サーボ制御部１５などに供給する。また、制御部２０は、操作部２１からの操作信号に基づき、記録データ、ならびに、アフレコ編集およびプリリード編集のために光ディスク１から読み出されたデータの制御を行うための制御信号を生成し、メモリコントローラ１７などに供給する。
【００９２】
なお、このディスク記録再生装置１０において、光ディスク１の書き込みおよび読み出し速度を計測するようにできる。例えば、ディスク記録再生装置１０に対して光ディスク１が装填されたときに自動的に、あるいは、操作部２１に対する操作に応じて、光ディスク１の所定領域に対して試し書きを行い、当該光ディスク１の書き込み速度および読み出し速度を計測する。光ディスク１の所定領域に当該光ディスクの性能などを示す情報が予め記録されている場合には、その情報を読み出すようにしてもよい。制御部２０は、こうして得られた、装填された光ディスク１の書き込みおよび読み出し速度を示す情報に基づき、上述した、アフレコ編集および／またはプリリード編集を行う際の年輪データの単位数を表す値ｎを決めることができる。
【００９３】
また、このディスク記録再生装置１０において、記録再生系の性能を計測するようにできる。例えば、ピックアップ部１３において光ピックアップのレーザ光出力のパワーをモニタし、制御部２０で、モニタ結果に基づき記録再生系の性能値を求める。制御部２０は、この性能値に基づき、上述した、アフレコ編集および／またはプリリード編集を行う際の年輪データの単位数を表す値ｎを決めることができる。光ピックアップの劣化や交換による性能値の変化に応じて値ｎを適宜、設定することが可能である。
【００９４】
なお、このディスク記録再生装置１０には、ＧＰＳによる信号を受信するためのアンテナ２２と、アンテナ２２で受信されたＧＰＳ信号を解析し、緯度、経度、高度からなる位置情報を出力するＧＰＳ部２３とを有する。ＧＰＳ部２３から出力された位置情報は、制御部２０に供給される。なお、アンテナ２２およびＧＰＳ部２３は、ビデオカメラ部に設けてもよいし、ディスク記録再生装置１０の外部に外付けされる装置としてもよい。
【００９５】
図８は、データ変換部１９の一例の構成を示す。光ディスク１へのデータの記録時には、信号入出力部３１から入力された記録すべき信号が、デマルチプレクサ４１に供給される。信号入出力部３１には、ビデオカメラ部から、動画のビデオ信号、当該ビデオ信号に付随するオーディオ信号が入力されると共に、カメラの撮影情報、例えばアイリスやズームに関する情報がカメラデータとしてリアルタイムに入力される。
【００９６】
デマルチプレクサ４１は、信号入出力部３１から供給される信号から、関連する複数のデータ系列、すなわち、例えば、動画のビデオ信号と、そのビデオ信号に付随するオーディオ信号とを分離し、データ量検出部４２に供給する。さらに、デマルチプレクサ４１は、信号入出力部３１から供給される信号からカメラデータを分離して出力する。このカメラデータは、制御部２０に供給される。
【００９７】
データ量検出部４２は、デマルチプレクサ４１から供給されたビデオ信号とオーディオ信号を、そのまま、画像信号変換部４３、音声信号変換部４４および補助ＡＶデータ変換部４８とにそれぞれ供給すると共に、そのビデオ信号とオーディオ信号のデータ量を検出し、メモリコントローラ１７に供給する。すなわち、データ量検出部４２は、デマルチプレクサ４１から供給されるビデオ信号とオーディオ信号のそれぞれについて、例えば、所定の再生時間分のデータ量を検出し、メモリコントローラ１７に供給する。
【００９８】
画像信号変換部４３は、データ量検出部４２から供給されるビデオ信号を、制御部２０からの指示に従い、例えばＭＰＥＧ２方式で圧縮符号化し、その結果得られるビデオデータのデータ系列を、メモリコントローラ１７に供給する。画像信号変換部４３に対して、制御部２０により、例えば圧縮符号化による発生符号量の最大ビットレートが設定される。画像信号変換部４３は、圧縮符号化後の１フレームのデータ量を見積もり、その結果に基づき圧縮符号化処理を制御して、発生符号量が設定された最大ビットレートに収まるようにビデオデータに対する実際の圧縮符号化処理を行う。設定された最大ビットレートと、実際の圧縮符号化によるデータ量との差分は、例えば所定のパディングデータで埋められ、最大ビットレートが維持される。圧縮符号化されたビデオデータのデータ系列は、メモリコントローラ１７に供給される。
【００９９】
音声信号変換部４４は、データ量検出部４２から供給されるオーディオ信号がリニアＰＣＭオーディオデータでない場合、制御部２０からの指示に従い、当該オーディオ信号をリニアＰＣＭオーディオデータに変換する。これに限らず、音声信号変換部４４では、オーディオ信号を、例えばＭＰＥＧ方式に則った、ＭＰ３（Ｍｏｖｉｎｇ  Ｐｉｃｔｕｒｅｓ  Ｅｘｐｅｒｔｓ  Ｇｒｏｕｐ  １  Ａｕｄｉｏ  Ｌａｙｅｒ  ３）やＡＡＣ（Ａｄｖａｎｃｅｄ  Ａｕｄｉｏ  Ｃｏｄｉｎｇ）方式などで圧縮符号化することもできる。オーディオデータの圧縮符号化方式は、これらに限定されず、他の方式でもよい。音声信号変換部４４から出力されるオーディオデータのデータ系列を、メモリコントローラ１７に供給する。
【０１００】
一方、補助ＡＶデータ変換部４８は、データ量検出部４２から供給されるビデオ信号を、制御部２０からの指示に従い、例えばＭＰＥＧ４方式で圧縮符号化して補助ＡＶデータを生成する。この実施の一形態では、このとき、ビットレートが数Ｍｂｐｓに固定的とされ、１枚のＩピクチャおよび９枚のＰピクチャの１０フレームでＧＯＰが形成される。
【０１０１】
なお、上述の構成は一例であって、これに限定されるものではない。例えば、信号入出力部３１に対し、本線系のＡＶデータ、カメラデータなどがそれぞれ独立的に入力される場合には、デマルチプレクサ４１を省略することができる。また、本線系のオーディオデータがリニアＰＣＭオーディオデータである場合には、音声信号変換部４４での処理を省略することもできる。
【０１０２】
そして、メモリコントローラ１７に供給されたビデオデータとオーディオデータは、上述したようにして、光ディスク１に供給されて記録される。
【０１０３】
記録は、上述したように、光ディスク１上に年輪が形成されながら行われる。データ変換部１９のデータ量検出部４２は、例えばオーディオデータにおいて、１年輪データ分の時間の再生に必要なオーディオデータが検出されたら、その旨をメモリコントローラ１７に通知する。メモリコントローラ１７は、この通知を受けて、１年輪データ分の再生に必要なオーディオデータをメモリ１８に記憶させたか否かの判定を行い、その判定結果を制御部２０に通知する。制御部２０では、この判定結果に基づき、１年輪データ分の再生時間に対応するオーディオデータをメモリ１８から読み出すようにメモリコントローラ１７を制御する。メモリコントローラ１７により、この制御に基づきメモリ１８からオーディオデータが読み出され、信号制御部１６に供給されて光ディスク１上にオーディオデータが記録される。
【０１０４】
１年輪データ分の再生時間に対応するオーディオデータが記録されると、次は、例えばビデオデータに対して同様の処理がなされ、オーディオ年輪データの次から１年輪データ分のビデオ年輪データが記録される。補助ＡＶデータも、同様にして、１年輪データ分の再生時間に対応するデータが順次、記録される。
【０１０５】
また、時系列メタデータについては、例えばカメラデータがデマルチプレクサ４１から制御部２０に供給されると共に、時系列メタデータのうちＵＭＩＤなどの幾つかのデータは、制御部２０で生成される。カメラデータと制御部２０で生成されたデータとがまとめて時系列メタデータとされ、メモリコントローラ１７を介してメモリ１８に記憶される。メモリコントローラ１７では、上述と同様にして、１年輪データ分の再生時間に対応する時系列メタデータをメモリ１８から読み出し、信号処理部１６に供給する。
【０１０６】
一方、光ディスク１からのデータの再生時においては、上述したようにして、光ディスク１からビデオデータ、各チャンネルのオーディオデータ、補助ＡＶデータおよび時系列メタデータが読み出される。このとき、高ビットレートである本線系のビデオデータの再生速度で、本線系のオーディオデータ、補助ＡＶデータ、時系列メタデータといった低ビットレートのデータも再生し、光ディスク１からのデータの再生速度を、読み出すデータによって変えないようにする。光ディスク１から読み出されたビデオデータおよび補助ＡＶデータは、メモリコントローラ１７から画像データ変換部４５および補助ＡＶデータ変換部４９にそれぞれ供給される。オーディオデータは、メモリコントローラ１７から音声データ変換部４６に供給される。
【０１０７】
画像データ変換部４５は、メモリコントローラ１７から供給される本線系のビデオデータのデータ系列を復号化し、その結果得られるビデオ信号をマルチプレクサ４７に供給する。また、補助ＡＶデータ変換部４９は、メモリコントローラ１７から供給される補助ＡＶデータのデータ系列を復号化し、その結果得られるビデオ信号およびオーディオ信号をマルチプレクサ４７に供給する。
【０１０８】
また、音声データ変換部４６は、メモリコントローラ１７から供給されるオーディオデータのデータ系列を復号化し、その結果得られるオーディオ信号を、マルチプレクサ４７に供給する。
【０１０９】
なお、画像データ変換部４５、音声データ変換部４６および補助ＡＶデータ変換部４９において、供給された再生データを復号化せずに、そのままマルチプレクサ４７に供給し、多重化して出力することも可能である。さらに、マルチプレクサ４７を省略し、それぞれのデータを独立的に出力することも可能である。
【０１１０】
以上のように構成されたディスク記録再生装置１０では、ユーザが操作部２１を操作することにより、データの記録を指令すると、信号入出力部３１から供給されるデータがデータ変換部１９、メモリコントローラ１７、信号処理部１６およびピックアップ部１３を介して光ディスク１に供給され、記録される。
【０１１１】
また、上述では、本線系のビデオデータの符号化方式をＭＰＥＧ２として説明したが、これはこの例に限定されず、さらに他の方式で符号化されたビデオデータを混在記録するようにできる。また、ビデオデータのビットレートや他のパラメータについても、同様に、上述した以外のものにも対応可能である。
【０１１２】
オーディオデータについても同様に、符号化してノンオーディオとする場合、さらに他の符号化方式を用いることができる。オーディオデータについても、ビット解像度も、１６ビットおよび２４ビットに限らず、３２ビットや８ビット、１２ビットなど、他のビット解像度のオーディオデータを記録するようにしてもよい。また、オーディオデータのサンプリング周波数は、標準的には４８ｋＨｚであるが、これもこの例に限定されず、例えば９６ｋＨｚ、１９２ｋＨｚなど、他のサンプリング周波数のオーディオデータを記録するようにしてもよい。
【０１１３】
なお、上述では、この発明が大容量の光ディスクを記録媒体として用いて好適であるように説明したが、これはこの例に限定されるものではない。この発明は、他の種類のディスク状記録媒体、例えばハードディスクドライブといった磁気ディスク装置にも適用可能なものである。
【０１１４】
また、上述では、補助ＡＶデータの圧縮符号化方式をＭＰＥＧ４方式であるとして説明したが、これはこの例に限定されず、他の方式で符号化したビデオデータ、オーディオデータを補助ＡＶデータとして記録するようにしてもよい。
【０１１５】
【発明の効果】
以上説明したように、この発明では、年輪単位でデータの記録再生を行うシステムにおいて、アフレコ編集およびプリリード編集動作を複数年輪単位で行うようにしているため、アフレコ編集およびプリリード編集動作に際して読み出しおよび書き込みの切り換え回数が少なくなり、光ピックアップのシーク時間や動作の切り換え時間など、読み出し動作も書き込み動作も行えないような時間が減少する。したがって、実効的なデータ転送速度の低下量を低減させることができ、見かけ上のデータ転送速度を向上させることができる効果がある。
【０１１６】
また、見かけ上のデータ転送速度が向上されるため、より高データ転送速度のユーザデータ（ビデオデータ、オーディオデータなど）に関してアフレコ編集およびプリリード編集動作が可能となる効果がある。
【０１１７】
さらに、見かけ上のデータ転送速度が向上されるため、より性能の低い記録媒体や記録装置を用いた場合でも、ユーザデータのデータ転送速度を落とさずにアフレコ編集およびプリリード編集動作を行うことができる効果がある。
【０１１８】
さらにまた、見かけ上のデータ転送速度が向上されるため、アフレコ編集およびプリリード編集動作時における処理時間などの余裕を大きく取ることができ、編集システムの安定性が向上するという効果がある。
【図面の簡単な説明】
【図１】ＵＭＩＤのデータ構造を示す略線図である。
【図２】光ディスクに対して年輪データが形成された一例の様子を示す略線図である。
【図３】年輪が形成された光ディスクに対するデータの読み書きが行われる一例の様子を示す略線図である。
【図４】年輪の連続性が保証されるようにデータ記録を行うことを説明するための図である。
【図５】アロケーションユニットについて説明するための図である。
【図６】アフレコ編集時の記録再生動作を説明するための図である。
【図７】この発明の実施の一形態に適用可能なディスク記録再生装置の一例の構成を示すブロック図である。
【図８】データ変換部の一例の構成を示すブロック図である。
【符号の説明】
１・・・光ディスク、１０・・・ディスク記録再生装置、１６・・・信号処理部、１７・・・メモリコントローラ、１８・・・メモリ、１９・・・データ変換部、２０・・・制御部、２１・・・操作部、３１・・・信号入出力部、４２・・・データ量検出部、４３・・・画像信号変換部、４４・・・音声信号変換部、４５・・・画像データ変換部、４６・・・音声データ変換部、４８・・・補助ＡＶデータ変換部、４９・・・補助ＡＶデータ変換部
【図１】
2005004878.tif 000003
【図２】
2005004878.tif 000004
【図３】
2005004878.tif 000005
【図４】
2005004878.tif 000006
【図５】
2005004878.tif 000007
【図６】
2005004878.tif 000008
【図７】
2005004878.tif 000009
【図８】
2005004878.tif 000010